(57)【要約】      （修正有）【課題】ダニ除去を必要としない場合にも使用できる、資源やエネルギーを浪費しないダニ除去掃除機を提供する。【解決手段】掃除機本体１と殺菌ランプ２とベース３とを有し、ベース３の下側の面に底部凹溝が設置され、ベース３の上側の面に頂部凹溝が設置され、殺菌ランプ２が底部凹溝内に設けられ、掃除機本体１部分が頂部凹溝内に挟持され且つハンディクリーナーとして設置され、ハンディクリーナーに半リング状の手掛部１１が設置され、手掛部１１の上側端部がハンディクリーナーに回動連結し、手掛部１１の下側端部が第１位置状態にある時にはベース３に挟持され、手掛部１１の下側端部が第２位置状態にある時にはベース３を解放する。掃除機本体１が取り外し可能なハンディクリーナーとして設置されることにより、ダニ除去と単独吸塵とのダブル機能を実現する。【選択図】図１
0003196862.tif 000002
【実用新案登録請求の範囲】
【請求項１】
掃除機本体と殺菌ランプとを有するダニ除去掃除機において、
さらにベースを有し、
前記ベースの下側の面に底部凹溝が設置され、
前記ベースの上側の面に頂部凹溝が設置され、
前記殺菌ランプが前記底部凹溝内に嵌設され、
前記掃除機本体部分が前記頂部凹溝内に挟持され且つハンディクリーナーとして設置され、
前記ハンディクリーナーに半リング状の手掛部が設置され、
前記手掛部の上側端部が前記ハンディクリーナーに回動連結し、
前記手掛部の下側端部が第１位置状態にある時には前記ベースに挟持され、前記手掛部の下側端部が第２位置状態にある時には前記ベースを解放する、ことを特徴とするダニ除去掃除機。
【請求項２】
前記ベースの下側の面にベース塵埃吸込口がさらに設置され、
前記ベースの上側の面に前記ベース塵埃吸込口に貫通するベース塵埃排出口がさらに設置され、
前記掃除機本体の塵埃吸込口が取り外し可能に前記ベース塵埃排出口に連通し、且つ前記掃除機本体の前側まで延伸可能な伸縮接続管が設置され、
前記底部凹溝と殺菌ランプとが前記ベース塵埃吸込口の前側と／または後側に配置されていることを特徴とする請求項１に記載のダニ除去掃除機。
【請求項３】
前記伸縮接続管の下側に附属塵埃吸込具が取り外し可能にさらに連結され、
前記附属塵埃吸込具に扁平ノズルと小ブラシとが含まれ、
前記扁平ノズルと小ブラシとが別々に設置または前記小ブラシが前記扁平ノズルに取り外し可能に連結されていることを特徴とする請求項２に記載のダニ除去掃除機。
【請求項４】
前記ベースの下側の面に前記扁平ノズルと小ブラシとを収納する収納室が設置され、
前記収納室が前記ベースの下側の面の後端に設置され、
前記ベース塵埃吸込口が前記ベースの下側の面の前端に設置されていることを特徴とする請求項３に記載のダニ除去掃除機。
【請求項５】
前記掃除機本体内に制御回路が設けられ、
前記制御回路に電気的に接続して電源装置と起動スイッチとが設けられ、
前記制御回路の出力端部に接続して第１駆動回路と第２駆動回路とが設けられ、
前記第１駆動回路が前記掃除機本体のモーターに接続して駆動させ、
前記第２駆動回路が前記殺菌ランプに接続して駆動させ、
前記ベースの上側の面に少なくとも２つの下部導電部材が設けられ、
前記掃除機本体の下側の面に少なくとも２つの上部導電部材が設けられ、
前記掃除機本体が前記ベースに挟持されているとき、前記上部導電部材と前記下部導電部材とが一つ一つ対応係合して制御回路と第２駆動回路との電気的接続を構成していることを特徴とする請求項１に記載のダニ除去掃除機。
【請求項６】
前記下部導電部材が下部プラスチックボルダを介して前記ベースの上側の面に連結する導電ピンであり、
前記上部導電部材が上部プラスチックホルダを介して前記掃除機本体の下側の面に連結する導電スリーブまたは導電弾性片であり、
前記導電スリーブが前記掃除機本体の下側の面に連結して位置規制され且つ前記掃除機本体との間に浮動バネが設置され、
第１位置状態にあるとき、前記導電スリーブの内側の面が前記導電ピンを弾性押圧または前記導電弾性片の内側の面が前記導電ピンを弾性挟みし、
第２位置状態にあるとき、前記導電スリーブの内側の面または導電弾性片の内側の面が前記導電ピンと切り離されることを特徴とする請求項５に記載のダニ除去掃除機。
【請求項７】
前記電源装置が外部電源装置と／または内部電源装置として設置され、
前記外部電源装置が外部給電コンセントに合うプラグとコードとを有し、
前記内部電源装置が掃除機本体内に設置され且つ前記掃除機本体のモーターを捲回する充電電池であり、
前記掃除機本体に、充電電池に接続して充電インタフェースが設けられていることを特徴とする請求項５に記載のダニ除去掃除機。
【請求項８】
前記ベースの下側の面に叩き具とブラシ具とが突出してさらに設置され、
前記ブラシ具が回転ブラシと／またはブラシを含み、
前記叩き具と回転ブラシとブラシとが前記ベース塵埃吸込口の前側と／または後側に設置され、
前記第２駆動回路が前記叩き具に接続して駆動させることを特徴とする請求項５に記載のダニ除去掃除機。
【請求項９】
前記掃除機本体の吸塵通路内にサイクロンフィルターが設置されていることを特徴とする請求項１に記載のダニ除去掃除機。
【請求項１０】
前記ハンディクリーナーに弾性戻り部材がさらに設置され、
前記弾性戻り部材が前記手掛部の前記ベースに挟持される方向に沿って弾性押圧または弾性引っ張りするように前記手掛部に連結し、
前記手掛部が前記ハンディクリーナーの把手の内側に設置されていることを特徴とする請求項１に記載のダニ除去掃除機。
【考案の詳細な説明】
【技術分野】
【０００１】
本考案は、掃除機に関し、具体的にはダニ除去掃除機に関する。
【背景技術】
【０００２】
ベッド上、ソファ、カーペット、衣類、及びいかなる織物製品の表面にも長時間使用すると細菌、ウイルス、ダニなどの汚染源が容易に発生し、人々の身体の健康や生活環境に悪い影響を与え、近年来、ダニ除去掃除機の研究が開始されている。ダニ除去掃除機は、ベッド上、ソファ、カーペット、衣類、及びいかなる織物製品の表面にも発生する細菌、ウイルス、ダニなどのアレルギー源を消滅させるために使われる専門的な紫外線抗アレルギー型ダニ除去掃除機である。
【０００３】
特許文献１はダニ除去殺菌掃除機を開示しており、主に、本体と本体上端にはめ合せた本体カバーと、軸流吸引ファンと、回路板と、集塵ボックスとで構成され、ランプ室後側内部の本体にブラシ室が横向きに設けられ、ブラシ室内両側にブラシ軸ホルダが設けられ、ブラシ軸ホルダに無動力回転ブラシが設けられ、無動力回転ブラシ後側のブラシ室中部に塵埃吸込口が設けられ、塵埃吸込口両側のブラシ室内に斜向集塵板が設けられ、斜向集塵板外側がブラシ輪部まで延伸し、底部シール板が本体底部前端にはめられ、底部シール板がランプ室とブラシ室とを分割して独立空間とし、ブラシ室前部の底部シール板にブラシとブラシ輪とを外部に一部突出させるようにブラシ孔溝と輪孔溝とが設けられている。前記回路板には電源ユニットが含まれ、前記電源ユニットは制御ユニットに接続している。上記発明は回路制御により紫外線の殺菌作用を有効利用してダニのＤＮＡを破壊することができ、それとともにその叩き具と無動力回転ブラシとを共同作業させてダニを叩き出しまたは掃き出して灰塵とともに吸引除去して、ダニ叩き、殺菌除去、清掃と吸塵とを同時に具備する清浄機能を実現している。
【先行技術文献】
【特許文献】
【０００４】
【特許文献１】中国特許出願２０１３１００５３５６９号
【考案の概要】
【考案が解決しようとする課題】
【０００５】
しかしながら、上記発明が開示しているダニ除去殺菌掃除機は一体型構造であり、ダニ除去を必要としない多くの場合に使用するのであればエネルギーの浪費になり、エネルギーの節約のため、一般に別途掃除機を購入設置する必要があり、資源の浪費になってしまう。
【０００６】
従って、本考案の目的は、その役割を十分に発揮させ、作業電源を共有することができ、且つダニ除去吸塵効果が高く、取り外しが可能で、ダニ除去にも掃除にも使用することができ、エネルギーと資源の浪費になることのないダニ除去掃除機を提供することである。
【課題を解決するための手段】
【０００７】
上記目的を達成するために、本考案が採用する技術手段は、ダニ除去掃除機であって、掃除機本体と殺菌ランプとを有し、さらにベースを有し、前記ベースの下側の面に底部凹溝が設置され、前記ベースの上側の面に頂部凹溝が設置され、前記殺菌ランプが前記底部凹溝内に嵌設され、前記掃除機本体部分が前記頂部凹溝内に挟持され且つハンディクリーナーとして設置され、前記ハンディクリーナーに半リング状の手掛部が設置され、前記手掛部の上側端部が前記ハンディクリーナーに回動連結し、前記手掛部の下側端部が第１位置状態にある時には前記ベースに挟持され、前記手掛部の下側端部が第２位置状態にある時には前記ベースを解放する。
【０００８】
好ましくは、前記ベースの下側の面にベース塵埃吸込口がさらに設置され、前記ベースの上側の面に前記ベース塵埃吸込口に貫通するベース塵埃排出口がさらに設置され、前記掃除機本体の塵埃吸込口が前記ベース塵埃排出口に取り外し可能に連通し、且つ前記掃除機本体の前側まで延伸可能な伸縮接続管が設置され、前記底部凹溝と殺菌ランプとが前記ベース塵埃吸込口の前側と／または後側に設置される。
【０００９】
好ましくは、前記伸縮接続管の下側に附属塵埃吸込具が取り外し可能にさらに連結され、前記附属塵埃吸込具が扁平ノズルと小ブラシとを含み、前記扁平ノズルと小ブラシとが別々に設置または前記小ブラシが前記扁平ノズルに取り外し可能に連結される。
【００１０】
好ましくは、前記ベースの下側の面に前記扁平ノズルと小ブラシとを収納する収納室が設置され、前記収納室が前記ベースの下側の面の後端に設置され、前記ベース塵埃吸込口が前記ベースの下側の面の前端に設置される。
【００１１】
好ましくは、前記掃除機本体内に制御回路が設けられ、前記制御回路に電気的に接続して電源装置と起動スイッチとが設けられ、前記制御回路の出力端部に第１駆動回路と第２駆動回路とが接続して設けられ、前記第１駆動回路が前記掃除機本体のモーターに接続して駆動させ、前記第２駆動回路が前記殺菌ランプに接続して駆動させる。前記ベースの上側の面に少なくとも２つの下部導電部材が設けられ、前記掃除機本体の下側の面に少なくとも２つの上部導電部材が設けられ、前記掃除機本体が前記ベースに挟持されるとき、前記上部導電部材と前記下部導電部材とが一つ一つ対応係合して制御回路と第２駆動回路との電気的接続を構成する。
【００１２】
好ましくは、前記下部導電部材が下部プラスチックホルダを介して前記ベースの上側の面に連結する導電ピンであり、前記上部導電部材が上部プラスチックホルダを介して前記掃除機本体の下側の面に連結する導電スリーブまたは導電弾性片であり、前記導電スリーブが前記掃除機本体の下側の面に連結されて位置規制され且つ前記掃除機本体との間に浮動バネが設置されて、第１位置状態にあるときには、前記導電スリーブの内側の面が前記導電ピンを弾性押圧し、あるいは前記導電弾性片の内側の面が前記導電ピンを弾性挟みし、第２位置状態にあるときには、前記導電スリーブの内側の面または導電弾性片の内側の面が前記導電ピンと切り離される。
【００１３】
好ましくは、前記電源装置が外部電源装置と／または内部電源装置として設置され、前記外部電源装置が外部の給電コンセントに合うプラグとコードとを有し、前記内部電源装置が掃除機本体内で且つ前記掃除機本体のモーターを捲回する充電電池として設置され、前記掃除機本体に、充電電池に接続して充電インタフェースが設けられる。
【００１４】
好ましくは、前記ベースの下側の面に叩き具とブラシ具とが突出してさらに設置され、前記ブラシ具が回転ブラシと／またはブラシを有し、前記叩き具と回転ブラシとブラシとが前記ベース塵埃吸込口の前側と／または後側に設置され、前記第２駆動回路が前記叩き具に接続して駆動させる。
【００１５】
好ましくは、前記掃除機本体の吸塵通路内にサイクロンフィルターが設置される。
【００１６】
好ましくは、前記ハンディクリーナーに弾性戻り部材がさらに設置され、前記弾性戻り部材が前記手掛部の前記ベースに挟持される方向に沿って弾性押圧または弾性引っ張りするように前記手掛部に連結し、前記手掛部が前記ハンディクリーナーの把手の内側に設置される。
【考案の効果】
【００１７】
上記技術手段の運用により、本考案によるダニ除去掃除機は従来の技術に比較して以下の長所を有している。
１、本考案における掃除機本体が取り外し可能なハンディクリーナーとして設置されていることにより、ダニ除去と単独吸塵とのダブル機能を実現し、ベースの上側の面に頂部凹溝が設置されて掃除機本体の水平方向における位置規制と位置決めとを実現し、手掛部が掃除機本体の上下方向における位置規制と位置決めとを実現し、且つ手掛部の設置によりハンディクリーナーの素早い着脱を実現している。
２、本考案において掃除機本体の塵埃吸込口にはその前側まで延伸可能な伸縮接続管が設置され、ダニ除去を行う時、伸縮接続管が縮み戻ることにより、掃除機本体のベースへの連結が実現され、単独吸塵を行う場合、伸縮接続管が伸出することにより、掃除機本体の吸塵機能が実現される。
３、本考案において伸縮接続管の下側には附属塵埃吸込具が取り外し可能にさらに連結され、吸塵機能をさらに優れたものにし、附属塵埃吸込具の収納室への収納により、収納と使用とを便利にし、且つダニ除去掃除機を置くスペースをコンパクトにする。
４、本考案においてベースの下側の面には叩き具とブラシとが設置され、ダニ除去と塵埃吸込の前に、まず死滅したダニと灰塵とを各種織物から浮き上がらせるのに有利であり、ダニ除去と塵埃除去の効率を高める。
５、本考案において設置されている制御回路により、ダニ除去と塵埃吸込との電源共用機能が実現され、且つハンディクリーナーの単独使用の場合にも、ハンディクリーナーへの給電に影響しない。
６、本考案における電源は外部電源または内部電源または外部電源と内部電源の機能を同時に具備する電源として設置され、内部電源を使用する場合、手持ち使用することができ、充電電池が掃除機本体のモーターの外側を捲回しているため、省スペースになり、外部電源を使用する場合、充電電池の寿命による制限が発生せず、内部電源と外部電源との同時使用により、手持ち使用が実現されると同時に充電電池の不必要な使用を減少させ、充電電池の寿命を延ばす。
７、本考案による掃除機本体の下側の面には浮動バネを有する導電スリーブまたは導電弾性片が設置されて、導電ピンと導電スリーブ及び導電弾性片とを緊密に一体化連結させ、連結が緩む状況が発生することがない。
【００１８】
８、本考案はサイクロンフィルターを採用することにより、ダニ除去掃除機の吸塵機能をさらに優れたものにする。
９、本考案において手掛部に弾性戻り部材が設置されていることにより、一方で手掛部を緊密にベースに挟持させることができ、他方で、手掛部を手で引いて動かす時、弾性戻り部材は加わる力に対して緩衝作用を果たす。
【図面の簡単な説明】
【００１９】
【図１】本考案の実施例１が開示するダニ除去掃除機の構造を示した説明図である。
【図２】本考案の実施例１が開示するベースの下側の面の配置を示した説明図である。
【図３】本考案の実施例１が開示する掃除機本体の構造を示した説明図である。
【図４】本考案の実施例１が開示するダニ除去掃除機の回路図である。
【図５】本考案の実施例１が開示する導電ピンと導電スリーブとの接続構造を示した説明図である。
【図６】本考案の実施例１が開示するサイクロンフィルターの構造を示した説明図である。
【図７】本考案の実施例２が開示するダニ除去掃除機の構造を示した説明図である。
【図８】本考案の実施例３が開示する導電ピンと導電弾性片との接続構造を示した説明図である。
【図９】本考案の実施例４が開示するベースの下側の面の配置を示した説明図である。
【図１０】本考案の実施例５が開示するベースの下側の面の配置を示した説明図である。
【考案を実施するための形態】
【００２０】
以下、附属図面と実施例とを結び付けて本考案についてさらに説明する。
【００２１】
（実施例１）
図１〜図６を参照すると、その中の図例に示すように、掃除機本体１と殺菌ランプ２とベース３とを有するダニ除去掃除機であって、ベース３の下側の面に底部凹溝とベース塵埃吸込口３１とが設置され、ベース３の上側の面に頂部凹溝と、ベース塵埃吸込口３１に貫通するベース塵埃排出口と、が設置され、殺菌ランプ２が上記底部凹溝内に嵌設され、掃除機本体１部分が上記頂部凹溝内に挟持され且つハンディクリーナーとして設置され、該ハンディクリーナーに半リング状の手掛部１１が設置され、手掛部１１の上側端部１１１が上記ハンディクリーナーに回動連結し、該手掛部１１の下側端部が第１位置状態にある時には上記ベース３に挟持され、上記手掛部１１の下側端部が第２位置状態にある時には上記ベース３を解放する。掃除機本体１の塵埃吸込口が上記ベース塵埃排出口に取り外し可能に連通し、且つ掃除機本体１の前側まで延伸可能な伸縮接続管１４が設置され、上記底部凹溝と殺菌ランプ２とがベース塵埃吸込口３１の前側と／または後側に配置されている。
【００２２】
ダニ除去が必要な場合は、伸縮接続管１４が収縮し、殺菌ランプ２がベッド上、ソファ、カーペット、衣類、及びあらゆる織物製品の細菌とダニを死滅させ、ベース塵埃吸込口３１が灰塵と死滅した細菌やダニを掃除機本体１内に吸い取ることにより、ダニ除去と吸塵とのダブル機能が実現され、ダニ除去が不必要な場合は、まず手動で手掛部１１を引き動かし、手掛部１１の上側端部が回動し、手掛部１１の下側端部がそれにしたがって回動し、それによって、ベース３に挟持されている状態からベース３を解放し、伸縮接続管１４が伸びると、手持ちの掃除機本体１が単独で吸塵を行うことが可能になる。
【００２３】
ハンディクリーナーの吸塵効果をさらに強めるため、伸縮接続管１４の下側に附属塵埃吸込具が取り外し可能にさらに連結され、上記附属塵埃吸込具は扁平ノズル８１と小ブラシ８２とを有し、扁平ノズル８１と小ブラシ８２とは別々に設置または小ブラシ８２が扁平ノズル８１に取り外し可能に連結されている。
【００２４】
さらなる省スペースと携帯使用の利便性のため、ベース３の下側の面に扁平ノズル８１と小ブラシ８２とを収納する収納室が設置され、該収納室はベース３の下側の面の後端に設置され、ベース塵埃吸込口３１がベース３の下側の面の前端に設置される。
【００２５】
ダニ除去掃除機のダニ除去と吸塵効果をさらに強めるため、ベース３の下側の面に叩き具４１と回転ブラシと／またはブラシ４２とが突出してさらに設置され、叩き具４１と回転ブラシと／またはブラシ４２とがベース塵埃吸込口３１の前側に設置され、回転ブラシと／またはブラシ４２が叩き具４１の両側に対称設置される。
【００２６】
掃除機本体１と殺菌ランプ２と叩き具４１との一つの電源共有を実現するため、且つ掃除機本体１がベース３から取り外された後にも依然として使用できるようにするため、掃除機本体１内に制御回路５１が設けられ、制御回路５１に電気的に接続して電源装置５２と起動スイッチ５３とが設けられ、制御回路５１の出力端部に接続して第１駆動回路５４と第２駆動回路５５とが設けられ、第１駆動回路５４が掃除機本体１のモーター１２に接続して駆動させ、第２駆動回路５５が殺菌ランプ２に接続して駆動させる。ベース３の上側の面に少なくとも２つの下部導電部材５６が設けられ、掃除機本体１の下側の面に少なくとも２つの上部導電部材５７が設けられ、掃除機本体１がベース３に挟持されている時、上部導電部材５７と下部導電部材５６とが一つ一つ対応係合して制御回路５１と第２駆動回路５５との電気的接続を構成する。
【００２７】
起動スイッチ５３が押しボタンスイッチ１３として設置され、下部導電部材５６が導電ピン６１であって、上部導電部材５７が導電スリーブ６２であり、導電スリーブ６２が掃除機本体１の下側の面に連結して位置規制され且つ掃除機本体１との間に浮動バネ６３が設置され、導電スリーブ６２の内側の面が第１位置状態にある時には導電ピン６１に接触連結し、導電スリーブ６２の内側の面が第２位置状態にある時には導電ピン６１と切り離される。
【００２８】
電源装置５２は外部給電コンセントに合うプラグとコード（図示せず）とを有している。
【００２９】
導電ピン６１は下部プラスチックホルダ６１１を介してベース３の上側の面に連結し、導電スリーブ６２は上部プラスチックホルダ６２１を介して掃除機本体１の下側の面に連結し、掃除機本体１が下りてきてベース３に挟持された時、浮動バネ６３が圧縮され、同時に浮動バネ６３が導電スリーブ６２に反発力を加え、それにより導電スリーブ６２を導電ピン６１に押圧させる。
【００３０】
ハンディクリーナーの吸塵効果をさらに強めるため、掃除機本体１の吸塵通路内にサイクロンフィルター１５が設置され、サイクロンフィルター１５がＨＥＰＡシステム１６の前側に設置される。
【００３１】
（実施例２）
図７を参照すると、その中の図例に示すように、電源装置５２は掃除機本体１に設置される充電電池７２であり、掃除機本体１に、充電電池７２に接続して充電インタフェース（図示せず）が設けられ、手持ち使用が実現される。
【００３２】
（実施例３）
図８を参照すると、その中の図例に示すように、その他は前記実施例１または２に同一であるが、異なるのは、上部導電部材５７が導電弾性片６４であり、導電弾性片６４が上部プラスチックホルダ６４１を介して掃除機本体１の下側の面に連結し、掃除機本体１が下りてきてベース３に挟持された時、導電弾性片６４が内側から押し広げられ、同時に導電弾性片６４が導電ピン６１に対し反発力を加え、それにより導電弾性片６４が導電ピン６１を挟むことにある。
【００３３】
（実施例４）
図９を参照すると、その中の図例に示すように、その他は前記実施例１〜３のいずれか一つに同一であるが、異なるのは、上記底部凹溝と殺菌ランプ２とがベース塵埃吸込口３１の前側に設置され、叩き具４１と回転ブラシと／またはブラシ４２とがベース塵埃吸込口３１の後側に設置され、叩き具４１が回転ブラシと／またはブラシ４２の両側に対称設置されていることにある。
【００３４】
（実施例５）
図１０を参照すると、その中の図例に示すように、その他は前記実施例１〜３のいずれか一つに同一であるが、異なるのは、上記底部凹溝と殺菌ランプ２とがベース塵埃吸込口３１の前側と後側とに設置され、叩き具４１と回転ブラシと／またはブラシ４２とがベース塵埃吸込口３１の後側に設置され、叩き具４１が回転ブラシと／またはブラシ４２の両側に対称設置されていることにある。
【００３５】
（実施例６）
その他は前記実施例１〜５のいずれか一つに同一であるが、異なるのは、上記ハンディクリーナーに弾性戻り部材がさらに設置され、上記弾性戻り部材が上記手掛部の上記ベースに挟持される方向に沿って弾性押圧または弾性引っ張りするように上記手掛部に連結し、上記手掛部が上記ハンディクリーナーの把手の内側に設置されていることにある。
【符号の説明】
【００３６】
１      掃除機本体
１１    手掛部
１２    掃除機本体のモーター
１３    押しボタンスイッチ
１４    伸縮接続管
１５    サイクロンフィルター
１６    ＨＥＰＡシステム
２      殺菌ランプ
３      ベース
３１    ベース塵埃吸込口
４１    叩き具
４２    回転ブラシと／またはブラシ
５１    制御回路
５２    電源装置
５３    起動スイッチ
５４    第１駆動回路
５５    第２駆動回路
５６    下部導電部材
５７    上部導電部材
６１    導電ピン
６１１  下部プラスチックホルダ
６２    導電スリーブ
６２１  上部プラスチックホルダ
６３    浮動バネ
６４    導電弾性片
６４１  上部プラスチックホルダ
７１    プラグ
７２    充電電池
８１    扁平ノズル
８２    小ブラシ
【図１】
0003196862.tif 000003
【図２】
0003196862.tif 000004
【図３】
0003196862.tif 000005
【図４】
0003196862.tif 000006
【図５】
0003196862.tif 000007
【図６】
0003196862.tif 000008
【図７】
0003196862.tif 000009
【図８】
0003196862.tif 000010
【図９】
0003196862.tif 000011
【図１０】
0003196862.tif 000012